(57)【要約】 【課題】鼠にかじられる被害を効果的に防止できる防鼠性鶏舎用搬送ベルトを提供する。【解決手段】基材ベルト７の全面が、鼠忌避剤が混入された合成樹脂組成物８でコーティングされている。基材ベルト７の両側部分９，９における鼠忌避剤の密度が、基材ベルト７の中間部分１０における鼠忌避剤の密度に比して高く設定されている。基材ベルト７は、合成繊維をラッセル編みした帯状の編成布を以て構成されており、方形の目を有するネット状を呈する。そして、両側部分９，９が中間部分１０に比して経糸１２が密に配置されている。鼠忌避剤としては、天然カプサイシン類や合成カプサイシン類を好適に用いることができる。カプサイシン類の合成樹脂組成物に対する混入量は１〜１０質量％に設定するのがよい。【選択図】図２
0003198321.tif 000002
【実用新案登録請求の範囲】
【請求項１】
基材ベルトの全面が、鼠忌避剤が混入された合成樹脂組成物でコーティングされていることを特徴とする防鼠性鶏舎用搬送ベルト。
【請求項２】
前記基材ベルトの幅方向の両側部分における前記鼠忌避剤の密度が、該幅方向の中間部分における鼠忌避剤の密度に比して高いことを特徴とする請求項１記載の防鼠性鶏舎用搬送ベルト。
【請求項３】
合成繊維をラッセル編みした帯状の編成布を以て構成され、方形の目を有するネット状を呈すると共に、幅方向の両側部分が該幅方向の中間部分に比して経糸が密に配置されてなる基材ベルトを構成する糸のみが、鼠忌避剤が混入された合成樹脂組成物でコーティングされ、該方形の目は空隙となされており、該両側部分においては、コーティングされる経糸の密度が前記中間部分に比して高いことによって、前記基材ベルトの幅方向の両側部分における前記鼠忌避剤の密度が、該幅方向の中間部分における鼠忌避剤の密度に比して高く設定されていることを特徴とする防鼠性鶏舎用搬送ベルト。
【請求項４】
前記鼠忌避剤はカプサイシン類であることを特徴とする請求項１、２又は３記載の防鼠性鶏舎用搬送ベルト。
【請求項５】
カプサイシン類の前記合成樹脂組成物に対する混入量は１〜１０質量％であることを特徴とする請求項４記載の防鼠性鶏舎用搬送ベルト。
【請求項６】
前記合成樹脂組成物に抗菌剤が併せて混入されていることを特徴とする請求項１〜５の何れかに記載の防鼠性鶏舎用搬送ベルト。
【考案の詳細な説明】
【技術分野】
【０００１】
本考案は、防鼠性を有する鶏舎用搬送ベルトに関するものである。
【背景技術】
【０００２】
鶏舎においては、例えば特許文献１が開示するように、鶏卵や鶏糞を集めて所定場所に搬送するためのベルト式搬送装置が設備されている。集卵用のベルト式搬送装置は、集卵搬送ベルトが朝方に周回して鶏卵を所定場所に搬送するものであり、集糞用のベルト式搬送装置は、集糞搬送ベルトが昼間の必要時に周回して鶏糞を所定場所に搬送するものであるが、これらの搬送ベルトは何れも夜間は停止している。
【０００３】
ところで、鶏舎内は鼠が生息しやすい環境であるために、前記搬送装置が停止状態にある特に夜間において、集卵搬送ベルトや集糞搬送ベルトがかじられる被害が多発している。これらのベルトは、鼠の習性により、その両側部分よりかじられて次第にベルトの幅方向やベルトの長さ方向にかじられていく。このようにかじられて最終的にベルトが切断されると、ベルト上の鶏卵が落下して割れる被害を発生させた。ベルトが切断されないまでも、ベルト損傷によって鶏卵等の搬送状態を不安定化させる問題があったばかりか、鼠が搬送ベルトをかじった際に鼠の歯に付着していた雑菌がベルトに付着して増殖し、雑菌による鶏卵の汚染や鶏舎の不衛生化を招く問題もあった。
【先行技術文献】
【特許文献】
【０００４】
【特許文献１】実用新案登録第３０５０４３９号公報
【考案の概要】
【考案が解決しようとする課題】
【０００５】
本考案は、かかる従来の問題点に鑑みて開発されたものであり、鼠にかじられる被害を効果的に防止できる防鼠性鶏舎用搬送ベルトの提供を課題とするものである。又、鼠がベルトを噛んだ際に雑菌がベルトに付着したときも、ベルトでの雑菌の繁殖を抑制し得る防鼠性鶏舎用搬送ベルトの提供を課題とするものである。
【課題を解決するための手段】
【０００６】
前記課題を解決するため、本考案は以下の手段を採用する。
即ち、本考案に係る防鼠性鶏舎用搬送ベルトは、基材ベルトの全面が、鼠忌避剤が混入された合成樹脂組成物でコーティングされていることを特徴とするものである。
前記基材ベルトの幅方向の両側部分における前記鼠忌避剤の密度を、該幅方向の中間部分における鼠忌避剤の密度に比して高く設定するのがよい。
本考案に係る防鼠性鶏舎用搬送ベルトのより具体的な態様は、合成繊維をラッセル編みした帯状の編成布を以て構成され、方形の目を有するネット状を呈すると共に、幅方向の両側部分が該幅方向の中間部分に比して経糸が密に配置されてなる基材ベルトを構成する糸のみが、鼠忌避剤が混入された合成樹脂組成物でコーティングされ、該方形の目は空隙となされており、該両側部分においては、コーティングされる経糸の密度が前記中間部分に比して高いことによって、前記基材ベルトの幅方向の両側部分における前記鼠忌避剤の密度が、該幅方向の中間部分における鼠忌避剤の密度に比して高く設定されていることを特徴とするものである。
前記の各防鼠性鶏舎用搬送ベルトにおいて、前記鼠忌避剤はカプサイシン類とするのがよい。
この場合、カプサイシン類の前記合成樹脂組成物に対する混入量は１〜１０質量％とするのがよい。
前記の各防鼠性鶏舎用搬送ベルトにおいて、前記合成樹脂組成物に抗菌剤を併せて混入させるのがよい。
【考案の効果】
【０００７】
本考案は以下の如き優れた効果を奏する。
(1) 本考案に係る防鼠性鶏舎用搬送ベルトによるときは、搬送ベルトが鼠にかじられることによって鶏卵の搬送状態を不安定化させたりベルト切れを生じさせたりする等の被害を効果的に防止できると共に、搬送ベルトが鼠にかじられることに起因する、ベルトでの雑菌の繁殖を効果的に防止できることとなる。
【０００８】
(2) 基材ベルトの幅方向の両側部分における鼠忌避剤の密度を該幅方向の中間部分における鼠忌避剤の密度に比して高く設定する場合は、鼠が搬送ベルトをかじるのは主としてベルト両側部分であるという鼠の習性を利用して、鼠が搬送ベルトを噛んだ際にその口内に辛い刺激をより強く与えることができる。これによって鼠が再度ベルトを噛むのをより効果的に防止できることとなる。そして、鼠が搬送ベルトをかじるのをより効果的に防止できることから、搬送ベルトへの雑菌の付着もより効果的に防止できることとなる。
【０００９】
(3) 基材ベルトとして、合成繊維をラッセル編みした帯状の編成布を以て構成し、その幅方向の両側部分が、該幅方向の中間部分に比して経糸密度が密になるように構成し、該基材ベルトの全面が、鼠忌避剤が混入された合成樹脂組成物でコーティングされたものとして構成するときは、次のような効果を期待できる。即ち、該基材ベルトの両側部分において経糸の密度が高められているため、該両側部分の強度向上によってベルト走行を安定化させ得るのは元より、該両側部分における鼠忌避剤の密度を容易に高めることができる。
【００１０】
(4) 前記鼠忌避剤としてカプサイシン類を用いるときは、鼠忌避効果に加えて抗菌効果を有する防鼠性鶏舎用搬送ベルトを提供できることとなる。これは、カプサイシン類が鼠忌避効果に加えて抗菌効果を有するためである。
【００１１】
(5) 特に、前記合成樹脂組成物に抗菌剤を併せて混入するときは、鼠がベルトを噛んだ際に鼠の歯に付着していた雑菌がベルトに付着したとしても、この雑菌の増殖を該抗菌剤で抑制できることとなり、雑菌による鶏卵の汚染をより効果的に防止できると共に鶏舎の清潔も確保できることとなる。
【図面の簡単な説明】
【００１２】
【図１】本考案に係る防鼠性鶏舎用搬送ベルトをその使用状態で示す側面図である。
【図２】防鼠性鶏舎用搬送ベルトが鶏卵搬送用の搬送ベルトとして構成された場合において、その一部を破断した状態を示す平面図である。
【図３】防鼠性鶏舎用搬送ベルトを鶏糞搬送用の搬送ベルトとして構成した場合における部分断面図である。
【図４】鼠にかじられて激しく損傷した試験片を示す写真のコピーである。
【図５】鼠忌避効果によって損傷が殆ど見られない試験片を示す写真のコピーである。
【考案を実施するための形態】
【００１３】
図１において本考案に係る防鼠性鶏舎用搬送ベルト（以下搬送ベルトともいう）１は、例えば鶏卵を搬送する搬送ベルトとして構成されており、両端部分２，２がプーリ３，３に支持されて水平状態で周回できるようになされ、鶏卵搬送面５を形成する上側のベルト走行部６が、横方向に並設された養鶏ケージの列の前縁部に沿うように配設されている。
【００１４】
該搬送ベルト１は図２に示すように、基材ベルト７の全面が、鼠忌避剤が混入された合成樹脂組成物８でコーティングされている。ここに合成樹脂組成物とは、合成樹脂、及び、必要に応じて添加される可塑剤や安定剤などを含む組成物を言い、例えば塩化ビニル樹脂組成物を好適に用いることができる。
【００１５】
又、該基材ベルト７の幅方向の両側部分９，９における鼠忌避剤の密度が、該基材ベルト７の幅方向の中間部分１０における密度に比して高く設定されている。ここに、基材ベルト７の両側部分９，９とは、鼠の習性として鼠が前記搬送ベルト１をかじるのは主としてベルト側部分１１，１１であることに鑑み、鼠が噛むことが想定されるベルト両側の所要幅部分を意味している。本実施例においては、該所要幅部分を、ベルト両側の約２０ｍｍ幅部分に設定している。
【００１６】
前記基材ベルト７は、本実施例においては図２で説明するように、合成繊維をラッセル編みした帯状の編成布を以て構成され、正方形状乃至長方形状の方形の目を有するネット状を呈すると共に、該基材ベルト７の幅方向の両側部分９，９においては、該幅方向の中間部分１０に比して経糸１２が密に配置されている。本実施例においては、該中間部分１０における正方形状の目１３（図２で斜線を付して示している部分）の一辺の長さが５〜１５ｍｍ程度（例えば１３ｍｍ）に設定されると共に該両側部分９，９においては、隣り合う経糸１２，１２間の間隔が２〜３ｍｍ程度（例えば２ｍｍ）に設定されている。そして該両側部分９，９においては、隣り合う経糸１２，１２間に２本の細い緯糸１５，１５が間隔を置いて配置されている。
【００１７】
前記基材ベルト７を構成する前記合成繊維としては、ポリエステルやナイロン等の引張強度に優れたものを好適に用いることができ、又、前記合成樹脂組成物は例えば、塩化ビニル、ポリエステル、ポリプロピレン等を使用して構成できる。
【００１８】
そして、前記鼠忌避剤としては例えばカプサイシン類を用いることができる。ここにカプサイシン類とは、カプサイシン、ジヒドロカプサイシン、ノルジヒドロカプサイシン、ホモカプサイシン、ホモジヒドロカプサイシンなどの辛味化合物をいう。カプサイシン類は、天然カプサイシン類や合成カプサイシン類を用いることができる。該カプサイシン類の前記合成樹脂組成物に対する混入量は１〜１０質量％に設定するのがよい。好ましくは、コストと鼠の忌避効果の両面を考慮して３〜７質量％に設定するのがよい。カプサイシン類は毒性を有さない安全な鼠忌避剤であって、鼠がベルトを試しかじりした際に、刺激性の強い辛味成分がその口内に拡散することで、鼠が再度ベルトを噛むことを防止するものであり、鼠忌避効果を長期間に亘って発揮させることができる。
【００１９】
そして前記のように、カプサイシン類が鼠忌避効果に加えて抗菌効果を有するため、鼠がベルトを噛んだ際に鼠の歯に付着していた雑菌がベルトに付着したとしても、この雑菌の増殖を該抗菌剤で抑制でき、雑菌による鶏卵の汚染を良好に防止できると共に、鶏舎の清潔にも寄与できる。
【００２０】
本実施例においては図２に示すように、基材ベルト７の幅方向の両側部分９，９が該幅方向の中間部分１０に比して経糸１２が密に配置されているため、該基材ベルト７の全面が、鼠忌避剤を含有する合成樹脂組成物でコーティングされた状態において、コーティングされる経糸１２の密度に応じ、搬送ベルト１のベルト側部分１１，１１における鼠忌避剤の密度がベルト中間部分１７における鼠忌避剤の密度に比して高くなっている。
【００２１】
かかる構成を有する防鼠性鶏舎用搬送ベルト１を製造する好適な製造方法を説明すれば、前記構成を有する基材ベルト７を、前記鼠忌避剤（本実施例においては、カプサイシン類）が混入された合成樹脂組成物の液に浸漬してコーティングし、その後、該基材ベルト７を引き上げて所要に乾燥させる。該製造方法によるときは、コーティング工程を簡易に行うことができ、防鼠性を有する搬送ベルトを能率的に製造できることとなり、両側部分９，９における鼠忌避剤の密度が自ずから高められた搬送ベルトを製造できることとなる。これは、コーティングされる経糸の密度が、該幅方向の両側部分の方が該幅方向の中間部分に比して高いからである。
【００２２】
このように製造された防鼠性鶏舎用搬送ベルト１の鼠忌避効果をより詳しく説明する。鼠が搬送ベルト１をかじる場合、鼠の習性として、通常は、搬送ベルト１のベルト中間部分１７よりもベルト側部分１１，１１をかじる。鼠がベルトを噛んだ際に、その口内に辛い刺激を与えることができる。これによって、鼠が搬送ベルトをかじるのを効果的に防止できることとなる。特に本実施例においては前記のように、側部分９における鼠忌避剤（例えばカプサイシン類）の密度がより高く設定されているため、鼠がベルト側部分１１を噛んだ際にその口内に辛い刺激をより強く与えることができる。これによって、鼠が再度ベルトを噛むことをより効果的に防止できる。このように鼠が搬送ベルト１をかじるのを効果的に防止できることから、搬送ベルト１への雑菌の付着を効果的に抑制できる。
【００２３】
そして本実施例においては、前記のように、前記基材ベルト７を、その両側部分９，９における経糸密度がその中間部分１０における経糸密度に比して密となるように構成している。このように、両側部分９，９における経糸密度を高めているのは、本来は、該両側部分９，９の強度向上によってベルト走行を安定化させるためである。本考案は、このような基材ベルトの構造的な特徴を巧みに活かして、該両側部分９，９において密に配置された経糸１２の夫々に合成樹脂組成物のコーティングを施すことによって、結果的に、該両側部分９，９における鼠忌避剤の密度を容易に高めることに成功したのである。要するに本考案は、基材ベルト７の両側部分９，９において経糸１２の密度を高めた構成を、搬送ベルトの形態的な安定性を増大（搬送ベルトとして必要な引っ張り強度の向上など）させるために利用するだけでなく、合成樹脂組成物の付着量を多くして鼠忌避剤の密度を高くし、結果的に、鼠の忌避効果を向上させるためにも利用しているのである。
【００２４】
図３は鶏糞を搬送する防鼠性鶏舎用搬送ベルト１の部分断面図であり、前記と同様に、両端部分２，２がプーリ３，３に支持されて水平状態で周回できるようになされ、横方向に並設された養鶏ケージの列の底部の下側に配設された鶏糞搬送面１８が鶏糞を所定場所に搬送する。該搬送ベルト１は、シート状を呈する基材ベルト７の全面が、前記と同様にして鼠忌避剤を含有する合成樹脂組成物８でコーティングされている。本実施例においても、鼠にかじられやすい搬送ベルトの幅方向のベルト側部分１１，１１における鼠忌避剤の密度を、該基材ベルト７の幅方向の中間部分１０における鼠忌避剤の密度に比して高く設定するのがよい。
【００２５】
ここで、前記基材ベルト７の全面が鼠忌避剤を含有する合成樹脂組成物でコーティングされてなる搬送ベルト１の鼠忌避効果を、鼠忌避剤が含有されていない搬送ベルトとの対比で試験した結果を示す。
【００２６】
（実施例１）
ポリエステル糸をラッセル編みしてなり、幅方向の両側部分が幅方向の中間部分に比して経糸が密に配置されてなる帯状の基材ベルト（メッシュベルト）を、塩化ビニル、可塑剤、安定剤、防カビ剤を含む塩化ビニル樹脂組成物に対して、カプサイシンが５質量％混入された合成樹脂組成物の液に浸漬してコーティングし、その後、基材ベルトを引き上げて実施例１の搬送ベルトを得た。なお、実施例１の搬送ベルトは、その幅方向の長さが約１００ｍｍであり、ベルトの幅方向の両側部分（各側縁から２０ｍｍまでの部分）におけるカプサイシンの密度が幅方向の中間部分における鼠忌避剤の密度に比して高い状態であった。
【００２７】
（比較例１）
カプサイシンを混入しない合成樹脂組成物の液を用いたこと以外は実施例１の手順に従って、比較例１の搬送ベルトを得た。
【００２８】
（試験片の作成）
実施例１及び比較例１で得た搬送ベルトを、夫々、その延長方向で見た長さを６０ｍｍにカットして、実施例１及び比較例１の試験片を得た。
【００２９】
（試験方法）
所要容積の密閉容器の中に、実施例１の試験片と比較例１の試験片と、鼠５匹を収容し、水と餌を与えて放置し、１週間後に各試験片の損傷状態を観察した。
【００３０】
（試験結果）
各試験片の損傷状態を観察したところ、比較例１の試験片にあっては、図４に示すように、ベルト側部分１１，１１が激しくかじられて損傷が大きかった。実施例１の試験片にあっては、図５に示すように、全体的に、噛み跡が殆ど見られなかった。
【００３１】
本考案は、「実用新案登録請求の範囲」の記載内で種々の設計変更が可能であることはいうまでもない。その一例を挙げれば次のようである。
【００３２】
(1) 前記基材ベルト７の全面を、鼠忌避剤を含有する合成樹脂組成物でコーティングする際、このコーティングは、塗布によって行ってもよい。
【００３３】
(2) 前記基材ベルト７は、前記した編成布やシート状物を以て構成する他、帯状の織布を以て構成することもできる。
【００３４】
(3) 鼠忌避剤としては、人体に対する安全性を考慮して、公知の鼠忌避剤を用いることができる。例えば、前記カプサイシン類の他、ワサビやカラシの辛味成分であるアリルイソチオシアネートなどの公知の鼠忌避剤を用いることもできる。
【００３５】
(4) 前記合成樹脂組成物に抗菌剤を併せて混入させることがある。この場合、例えば、銅、亜鉛、銀などの抗菌性金属をゼオライト、シリカなどのケイ酸塩や、リン酸塩などの担体に担持したものを用いることができる。具体的には、抗菌性ゼオライトを用いることができる。該抗菌剤は、鼠が搬送ベルトを噛んだ際に鼠の歯に付着していた雑菌がベルトに付着したとしても、この雑菌の増殖を該抗菌剤でより効果的に抑制でき、雑菌による鶏卵の汚染を良好に防止できると共に、鶏舎の清潔にも寄与できる。
【００３６】
(5) 本考案は、合成樹脂組成物に防カビ剤、難燃剤、耐候性付与剤、顔料、着色剤などを混入することもできる。
【００３７】
(6) 前記方形の目は、全体的に均一な大きさの目としなければならないものではなく、部分的に目の大きさを変えることもできる。又、該目の形状としては、正方形に近いものが好ましいが、長方形状やその他の四角形状であってもよい。そして、該方形の目は、その一辺の長さを、５〜１５ｍｍの範囲で所要に設定して正方形状の目又は長方形状の目などとして形成できる。
【００３８】
(7) 本考案において鶏舎とは、鶉の鶏舎を含む。
【符号の説明】
【００３９】
１  防鼠性鶏舎用搬送ベルト
５  鶏卵搬送面
６  ベルト走行部
７  基材ベルト
８  合成樹脂組成物
９  側部分
１０  中間部分
１１  ベルト側部分
１２  経糸
１５  緯糸
１７  ベルト中間部分
１８  鶏糞搬送面
【図１】
0003198321.tif 000003
【図２】
0003198321.tif 000004
【図３】
0003198321.tif 000005
【図４】
0003198321.tif 000006
【図５】
0003198321.tif 000007